(57)【要約】【課題】燃料ポンプ下流の燃料配管内の圧力が目標燃圧に近づくように前記燃料ポンプを制御するエンジンの燃料供給装置において、燃料ポンプの故障時に燃圧が過剰に上昇することを防止又は抑止できるようにする。【解決手段】燃料ポンプの故障状態において、燃料配管内の圧力が目標燃圧よりも高くなると、前記燃料配管内の燃料を燃料タンクに戻すリリーフパイプを開閉する電磁リリーフ弁を開操作して、前記燃料配管内の燃料を燃料タンク内に戻す。これにより、燃料ポンプが故障しても、燃料配管内の燃料の圧力が過剰に高くなることを抑止でき、燃料噴射弁からの燃料漏れの発生等を未然に防止できる。【選択図】図２
2010071133.tif 000002
【特許請求の範囲】
【請求項１】
燃料タンク内の燃料を燃料ポンプによってエンジンの燃料噴射弁に向けて圧送するエンジンの燃料供給装置であって、
前記燃料ポンプ下流の燃料配管内の圧力が目標燃圧に近づくように前記燃料ポンプを制御するポンプ制御手段と、
前記燃料配管内の燃料の前記燃料タンク内への戻しを制御するリリーフ手段と、
前記燃料ポンプの故障の有無を判定する診断手段と、
前記燃料ポンプの故障が判定された場合に、前記リリーフ手段を操作して前記燃料配管内の燃料の前記燃料タンク内への戻しを制御することで、前記燃料配管内を減圧する故障時減圧手段と、
を含んで構成されたことを特徴とするエンジンの燃料供給装置。
【請求項２】
前記故障時減圧手段が、前記燃料配管内の圧力が目標燃圧を維持するように、前記リリーフ手段を変化させることを特徴とする請求項１記載のエンジンの燃料供給装置。
【請求項３】
前記故障時減圧手段が、前記燃料ポンプの故障時用の目標燃圧を設定し、該目標燃圧を維持するように前記リリーフ手段を変化させることを特徴とする請求項２記載のエンジンの燃料供給装置。
【請求項４】
前記故障時減圧手段が、前記燃料ポンプの故障時用の目標燃圧を、前記燃料供給装置の温度条件に応じて変化させることを特徴とする請求項３記載のエンジンの燃料供給装置。
【請求項５】
前記燃料ポンプの故障が判定された場合に、前記エンジンを運転させる領域を制限する運転領域制限手段を設けたことを特徴とする請求項１〜４のいずれか１つに記載のエンジンの燃料供給装置。
【請求項６】
前記燃料ポンプの故障が判定されていて、かつ、前記燃料配管内の圧力が許容最低値を下回った場合に、前記エンジンの運転を停止させる運転停止手段を設けたことを特徴とする請求項１〜４のいずれか１つに記載のエンジンの燃料供給装置。
【請求項７】
前記故障時減圧手段が、前記リリーフ手段によって前記燃料配管内の燃料を前記燃料タンク内に戻している状態で、前記燃料配管内の圧力が許容最大値を超えた場合に、前記燃料噴射弁の一時的な噴射停止を禁止することを特徴とする請求項１〜４のいずれか１つに記載のエンジンの燃料供給装置。
【請求項８】
前記燃料ポンプが正常であると判定されている状態で、前記燃料配管内の圧力が許容最大値よりも高くなった場合に、前記リリーフ手段を操作して前記燃料配管内の燃料を前記燃料タンク内に戻す最大燃圧制御手段を設けたことを特徴とする請求項１〜７のいずれか１つに記載のエンジンの燃料供給装置。
【発明の詳細な説明】
【技術分野】
【０００１】
本発明は、燃料ポンプによって燃料をエンジンの燃料噴射弁に向けて圧送する装置であって、前記燃料ポンプ下流の燃料配管内の圧力が目標燃圧に近づくように、前記燃料ポンプを制御するエンジンの燃料供給装置に関する。
【背景技術】
【０００２】
特許文献１には、燃料ポンプから燃料噴射量に対応する量の燃料だけを燃料噴射弁に供給することで、燃料噴射弁から燃料タンクへの余剰燃料の戻し配管を不要とした、所謂リターンレス燃料供給システムが開示されている。
【特許文献１】特開２００３−１８４６１１号公報
【発明の開示】
【発明が解決しようとする課題】
【０００３】
ところで、リターンレス燃料供給システムでは、燃料ポンプの吐出量を制御することで燃圧を制御するので、燃料ポンプの吐出量を要求通りに制御することができない燃料ポンプの故障状態になると、燃圧が目標燃圧からずれてしまう。
特に、燃料ポンプが要求よりも高い吐出量を維持するために、燃圧が目標よりも高い値になってしまうと、燃料噴射弁からの燃料漏れが発生したり、燃料噴射弁における燃料の計量精度の低下や燃料噴霧の貫徹力の変化によって、混合気の形成精度が悪化したりするという問題が生じる。
【０００４】
本発明は、上記問題点に鑑みなされたものであり、所謂リターンレス燃料供給システムにおいて、燃料ポンプが故障しても、過剰に高い燃圧に保持されてしまうことを回避できる、エンジンの燃料供給装置を提供とすることを目的とする。
【課題を解決するための手段】
【０００５】
そのため、本発明に係るエンジンの燃料供給装置では、燃料ポンプ下流の燃料配管内の圧力が目標燃圧に近づくように前記燃料ポンプを制御する一方、燃料ポンプの故障が判定された場合に、リリーフ手段を操作して前記燃料配管内の燃料の燃料タンク内への戻しを制御することで、前記燃料配管内を減圧するようにした。
【発明の効果】
【０００６】
上記発明によると、燃料ポンプが故障し、かつ、該故障状態における燃料の吐出量が過剰であったとしても、リリーフ手段によって燃料配管内の燃料を燃料タンク内へ戻すことで、燃料配管内を減圧させることが可能であり、過剰に高い燃圧に保持されてしまうことを防止又は抑制できる。
従って、燃料ポンプが故障しても、燃料噴射弁からの燃料漏れ等が発生することを未然に防止できる。
【発明を実施するための最良の形態】
【０００７】
以下に本発明の実施の形態を説明する。
図１は、実施形態における車両用エンジンの燃料供給装置を示す図である。
図１において、燃料タンク１は、エンジン（内燃機関）１０の燃料（例えばガソリン）を貯留するタンクである。
前記燃料タンク１には、給油キャップ２で閉塞される給油口３が開口されており、給油キャップ２を外して前記給油口３から燃料が補給される。
【０００８】
前記燃料タンク１内には、図示省略したブラケットによって電動式の燃料ポンプ４が設置されている。
前記燃料ポンプ４は、燃料タンク１内の燃料を吸い込み口から吸い込んで吐出口から吐き出す、例えばタービン式のポンプであり、前記吐出口には、燃料パイプ５ａの一端が接続されている。
【０００９】
前記燃料パイプ５ａの他端には、燃料ポンプ４から後述する燃料噴射弁９に向かう燃料の流れを通過させ、前記燃料噴射弁９側から燃料ポンプ４に向かう流れ（逆流）を阻止する機械式逆止弁７（一方向弁）の入り口側が接続される。
前記逆止弁７の出口には、燃料パイプ５ｂの一端が接続され、前記燃料パイプ５ｂの他端は、燃料ギャラリーパイプ８に接続される。
【００１０】
前記燃料パイプ５ａ，燃料パイプ５ｂ及び燃料ギャラリーパイプ８によって、燃料ポンプ４から燃料噴射弁９に向けた圧送経路（燃料配管）が形成される。
前記燃料ギャラリーパイプ８には、その延設方向に沿って気筒数（本実施形態は４気筒）と同じ数の噴射弁接続部８ａが設けられ、各噴射弁接続部８ａそれぞれには、燃料噴射弁９の燃料取り入れ口がそれぞれ接続される。
【００１１】
前記燃料噴射弁９は、電磁コイルへの通電によって磁気吸引力が発生すると、スプリングによって閉弁方向に付勢されている弁体がリフトして開弁し、燃料を噴射する、電磁式噴射弁である。
前記燃料噴射弁９は、例えばエンジン１０の各気筒の吸気ポート部にそれぞれ設置され、各気筒それぞれに燃料を噴射供給する。
【００１２】
また、前記燃料ギャラリーパイプ８内と燃料タンク１内とを連通させるリリーフパイプ１２が設けられて、前記リリーフパイプ１２の途中には、電磁リリーフ弁１３が介装されている。
前記電磁リリーフ弁１３が開弁すると、前記リリーフパイプ１２を介して前記燃料ギャラリーパイプ８内の燃料が前記燃料タンク１内にリリーフされる（戻される）ことで、前記燃料ギャラリーパイプ８内の燃料圧力が降下（減圧）する。
【００１３】
前記電磁リリーフ弁１３は、電磁コイルに通電されることで開弁して前記リリーフパイプ１２を開放させ、非通電時には閉弁状態を保持して前記リリーフパイプ１２を閉塞させる電磁バルブであり、一般的なバタフライバルブを用いることができる他、例えば、前記燃料噴射弁９を前記電磁リリーフ弁１３として用いることが可能である。
上記のように、前記電磁リリーフ弁１３は、電磁コイルへの通電を制御する操作信号（通電制御信号）に基づいて動作し、前記燃料ギャラリーパイプ８（燃料配管）内の燃料の前記燃料タンク１内への戻しを制御するリリーフ手段に相当する。
【００１４】
但し、リリーフ手段を、電磁バルブとしての電磁リリーフ弁１３に限定するものではなく、油圧、空気圧、モータなどのアクチュエータで動作するバルブであっても良い。
また、前記電磁リリーフ弁１３（リリーフ手段）は、後述するように、燃圧制御に用いられるから、開弁によって前記燃料ギャラリーパイプ８（燃料配管）内の圧力が直ぐに抜けてしまうことのないように、オリフィス部を開閉する構造のバルブとするか、前記リリーフパイプ１２にオリフィスを設けるようにすることが好ましい。
【００１５】
マイクロコンピュータを内蔵する電子制御ユニット（ＥＣＵ）１１は、前記燃料噴射弁９それぞれに対して個別に開弁制御パルス信号を出力して、各燃料噴射弁９による燃料噴射量及び噴射時期を制御すると共に、前記燃料ポンプ４の吐出量及び前記電磁リリーフ弁１３による燃料のリリーフを制御することで、前記燃料ギャラリーパイプ８内の燃圧（燃料供給圧）を制御する機能を有している。
【００１６】
前記電子制御ユニット１１には、各種センサからの検出信号が入力される。
前記各種センサとしては、エンジン１０の吸入空気流量Ｑａを検出するエアフローセンサ２１、クランクシャフトの所定角度位置毎に検出信号ＰＯＳを出力するクランク角センサ２２、エンジン１０の冷却水温度Ｔｗを検出する水温センサ２３、前記燃料ギャラリーパイプ８内における燃料の圧力ＰＦを検出する燃圧センサ２４、前記燃料ギャラリーパイプ８内における燃料の温度ＴＦを検出する燃温センサ２５などが設けられている。
【００１７】
そして、前記電子制御ユニット１１は、そのときのシリンダ吸入空気量に対して目標空燃比の混合気を形成させることができる燃料量を、前記エアフローセンサ２１，クランク角センサ２２，水温センサ２３などからの検出信号に基づき演算し、前記燃料量に対応する噴射パルス幅の開弁制御パルス信号を、燃料噴射弁９に出力する。
また、前記電子制御ユニット１１は、ポンプ制御手段としての機能を有し、前記燃圧センサ２４で検出される実際の燃圧が目標燃圧に近づくように、例えば、実際の燃圧と目標燃圧との偏差に基づく比例・積分・微分制御によって前記燃料ポンプ４の通電制御信号のデューティ比（操作量）をフィードバック制御することで、燃料ポンプ４の駆動電流を変化させ、実際の燃圧が目標燃圧に近づくように燃料ポンプ４の吐出量（回転速度）を制御する。
【００１８】
尚、前記燃料ポンプ４のフィードバック制御における目標燃圧は、予め設定された固定値であっても良いし、エンジン１０の運転条件（エンジン負荷・エンジン回転速度・エンジン温度・エンジン始動状態など）に基づいて可変に設定させることができる。
また、前記噴射パルス幅の演算においては、燃圧によって単位開弁時間当たりの噴射量が変化するので、目標燃圧（目標燃圧と吸気管内圧との差圧）の条件下で要求燃料量が噴射されるように、目標燃圧又は前記燃圧センサ２４で検出される実際の燃圧に基づいて噴射パルス幅（噴射時間）が補正される。
【００１９】
更に、前記電子制御ユニット１１は、前記燃料ポンプ４の故障の有無を診断する診断手段としての機能、及び、燃料ポンプ４の故障発生時に前記電磁リリーフ弁１３（リリーフ手段）を制御する故障時減圧手段としての機能を有しており、以下では、前記診断手段及び故障時減圧手段の機能（ポンプ故障時制御機能）を詳細に説明する。
図２は、ポンプ故障時の燃圧制御の第１実施形態を示し、まず、ステップＳ１０１では、燃料ポンプ４が故障しているか否かを判断する。
【００２０】
前記燃料ポンプ４の故障には、燃料ポンプ４自体の機械的或いは電気的な故障の他、燃料ポンプ４（モータ）への通電をスイッチングする駆動回路（トランジスタ）の故障などが含まれ、操作量と吐出量との相関が初期状態から変化していると見なされる場合に故障を判定する。
尚、前記燃料ポンプ４の故障診断については、後で詳細に説明する。
【００２１】
燃料ポンプ４が正常であれば、ステップＳ１０２，ステップＳ１０３を迂回し、再度ステップＳ１０１の処理から繰り返されるようにする。
即ち、燃料ポンプ４が正常であれば、前記電磁リリーフ弁１３を閉状態に保持し、燃料ポンプ４の吐出量（駆動電流）のフィードバック制御によって燃圧を目標燃圧に制御する。
【００２２】
一方、燃料ポンプ４が故障している場合には、ステップＳ１０２へ進み、前記燃圧センサ２４で検出される実際の燃圧が目標燃圧よりも大きいか否かを判断する。
尚、前記ステップＳ１０２で実際の燃圧と比較する目標燃圧は、前記燃料ポンプ４のフィードバック制御における目標燃圧と同じとすることができ、また、前記燃料ポンプ４のフィードバック制御における目標燃圧を、燃料ポンプ４が正常状態であるか故障状態であるかによって切り替える構成とすることができる。
【００２３】
また、前記ステップＳ１０２で実際の燃圧と比較する目標燃圧を、燃料ポンプ４のフィードバック制御における目標燃圧とは個別に設定される、燃料ポンプ４の故障時専用の目標燃圧とすることができる。
更に、ステップＳ１０２で実際の燃圧と比較する目標燃圧を、燃料ポンプ４の故障状態で実際に生じた最大燃圧に基づいて設定させることができ、また、前記最大燃圧を上回る燃圧の要求をキャンセルすることができる。
【００２４】
ステップＳ１０２で、実際の燃圧が目標燃圧よりも高いと判断された場合には、ステップＳ１０３へ進み、前記電磁リリーフ弁１３を開成させる操作信号を出力して（前記電磁リリーフ弁１３に通電して）、前記燃料ギャラリーパイプ８内の燃料を燃料タンク１内にリリーフさせる。
一方、ステップＳ１０２で、実際の燃圧が目標燃圧以下であると判断された場合には、ステップＳ１０３を迂回して進むことで、前記電磁リリーフ弁１３を閉状態に保持させ、前記燃料ギャラリーパイプ８内からの燃料のリリーフは行わない。
【００２５】
上記のように、燃料ポンプ４の故障が診断されている状態で、実際の燃圧が目標燃圧よりも高くなった場合に、電磁リリーフ弁１３を開操作すれば、前記燃料ギャラリーパイプ８内が減圧されて、実際の燃圧が目標燃圧を上回る状態が解消され、目標燃圧の維持が図られる。
従って、燃料ポンプ４の故障によって、実際の燃圧を目標燃圧付近に制御することができずに目標燃圧よりも高くなって、燃料噴射弁９などから燃料漏れが発生したり、燃料噴射弁における燃料の計量精度の低下や燃料噴霧の貫徹力の変化などによって、混合気の形成精度が悪化したりすることを未然に防止できる。
【００２６】
即ち、燃料ポンプ４が故障して、例えば、最大吐出量付近に吐出量が固定されてしまうと、燃圧が目標燃圧を超えるようになってしまい、かつ、燃料ポンプ４の制御によっては燃圧を低下させることができなくなる。
係る状態で、前記電磁リリーフ弁１３を開操作して、前記燃料ギャラリーパイプ８内の燃料を燃料タンク１内にリリーフさせれば、たとえ燃料ポンプ４が過剰な燃料を吐出している状態であっても、前記燃料ギャラリーパイプ８内の燃圧を目標燃圧に向けて低下（減圧）させることができる。
【００２７】
尚、目標燃圧と実際の燃圧との比較に基づく前記電磁リリーフ弁１３の開閉制御においては、ヒステリシスを持たせ、例えば、目標燃圧よりも所定以上に高くなってから電磁リリーフ弁１３を開き、目標燃圧付近にまで低下してから電磁リリーフ弁１３を閉じるようにすることができる。
また、燃料ポンプ４の故障状態において、正常時と同様に、目標燃圧と実際の燃圧との偏差に基づいて燃料ポンプ４の操作量をフィードバック制御させても良いが、前記目標燃圧よりも低い許容最低燃圧と実際の燃圧との偏差に基づいてフィードバック制御させることができる。
【００２８】
更には、前記許容最低燃圧を実際の燃圧が下回っている場合に燃料ポンプ４を一定の操作量（例えば最大駆動電流）で作動させ、実際の燃圧が前記許容最低燃圧以上であるときに、電流供給を遮断して燃料ポンプ４の作動を停止させるか、燃圧を増大させないレベルの電流値にまで低下させることもできる。
また、燃料ポンプ４の故障として、燃料ポンプ４の駆動電流が、操作量に対応しない異常に高い値を示す場合に、操作量の可変範囲を制限して、駆動電流を低下させることが好ましい。
【００２９】
また、燃料ポンプ４の故障が、吐出量が初期状態よりも減少する故障である場合には、故障状態で可能な最大吐出量で動作させるべく、最大駆動電流の供給状態に固定させることができる。
また、燃料ポンプ４の故障状態であって、実際の燃圧が目標燃圧よりも高い場合に、目標燃圧と実際の燃圧との偏差が大きいほど、及び／又は、実際の燃圧の上昇速度が速いほど、前記燃料ギャラリーパイプ８からリリーフさせる燃料量が多くなるように、電磁リリーフ弁１３を制御することができる。
【００３０】
更に、燃料タンク１内や燃料ギャラリーパイプ８内の燃料温度・エンジン温度などの燃料供給装置の温度条件が高いほど、前記燃料ギャラリーパイプ８からリリーフさせる燃料量が多くなるように、電磁リリーフ弁１３を制御することができる。
温度条件が高いとそれだけ燃圧が上昇し易く、低温時と同じ量の燃料をリリーフしたのでは、燃圧を充分に降下させることができなくなる場合があるので、温度条件が高いほどリリーフ量を多くして、高温条件であっても燃圧を効果的に低下させることができるようにする。
【００３１】
前記リリーフ量の調整は、例えば、前記電磁リリーフ弁１３の通電をデューティ制御するようにし、デューティ比を変化させることで行える。
図３のフローチャートは、ポンプ故障時の燃圧制御の第２実施形態を示す。
第２実施形態は、燃料ポンプ４の故障時における目標燃圧を、燃料ポンプ４の正常状態での目標燃圧とは個別に設定することを特徴とする。
【００３２】
図３のフローチャートにおいて、ステップＳ２０１では、燃料ポンプ４が故障しているか否かを判断する。
そして、燃料ポンプ４が故障している場合には、ステップＳ２０２へ進み、燃料ポンプ４の故障状態における目標燃圧を設定する。
具体的には、燃料噴射弁９などからの燃料漏れを抑止でき、また、ポンプ正常時よりも噴射量が過剰になって空燃比をオーバーリッチ化させることのない燃圧を、故障状態における目標燃圧とする。
【００３３】
また、燃料ポンプ４の故障によって、過渡運転時（加速のための高負荷運転時）に燃料不足となることが見込まれる場合には、目標燃圧を少し高めに設定することで、燃料ポンプ４の故障によって過渡運転時に燃料不足となってしまうことを抑止できる。
更に、燃料ポンプ４の故障時における目標燃圧を、前記燃料供給装置の温度条件に応じて補正することができる。
【００３４】
前記燃料供給装置の温度条件とは、燃料ギャラリーパイプ８又は燃料タンク１内の燃料温度、外気温度、水温ＴＷ（エンジン温度）などであって、燃料ギャラリーパイプ８の燃圧に影響を与える温度条件である。
前記温度条件が高い場合には、燃圧が上昇し易く、実際の燃圧が目標燃圧を超えたことに基づいて電磁リリーフ弁１３を開制御しても、燃圧上昇を充分に抑制できなくなる場合があるので、予め目標燃圧を低めに設定して、燃圧上昇の抑制を図る。
【００３５】
例えば、本実施形態のように、前記燃料ギャラリーパイプ８内における燃料の温度ＴＦを検出する燃温センサ２５を備えている場合には、この燃温センサ２５で検出される燃料の温度ＴＦが高いほど、目標燃圧をより低い値とする。
ステップＳ２０２で、燃料ポンプ４の故障状態における目標燃圧を設定すると、次のステップＳ２０３では、前記燃圧センサ２４で検出される実際の燃圧が、ステップＳ２０２で設定した目標燃圧よりも高いか否かを判別する。
【００３６】
そして、ステップＳ２０３で実際の燃圧が目標燃圧よりも高いと判断された場合には、ステップＳ２０４へ進み、前記電磁リリーフ弁１３を開操作して、前記燃料ギャラリーパイプ８の燃料を燃料タンク１内にリリーフさせる。
従って、燃料ポンプ４の故障状態において、故障時に最適な目標燃圧よりも実際の燃圧が高くなることを回避して、目標燃圧の維持が図られ、燃料噴射弁９などからの燃料漏れや空燃比のオーバーリッチ化を未然に防止できる。
【００３７】
尚、上記第２実施形態において、燃料ポンプ４の制御やリリーフ量の制御を、第１実施形態と同様にして行わせることができる。
即ち、燃料ポンプ４の故障状態において、故障時用の目標燃圧と実際の燃圧との偏差に基づいて燃料ポンプ４の操作量をフィードバック制御させることができる他、前記目標燃圧よりも低い許容最低燃圧と実際の燃圧との偏差に基づいてフィードバック制御させることができる。
【００３８】
更には、前記許容最低燃圧を実際の燃圧が下回っている場合に燃料ポンプ４を一定の操作量（例えば最大電流）で作動させ、実際の燃圧が前記許容最低燃圧以上であるときに、電流供給を遮断して燃料ポンプ４の作動を停止させるか、燃圧を増大させないレベルの電流値にまで低下させることもできる。
また、燃料ポンプ４の故障が、吐出量が初期状態よりも減少する故障である場合には、故障状態で可能な最大吐出量で動作させるべく、最大電流の供給状態に固定させることができる。
【００３９】
また、リリーフ量を温度条件に応じて可変に設定することができる。
図４のフローチャートは、ポンプ故障時の燃圧制御の第３実施形態を示す。
第３実施形態は、燃料ポンプ４に故障が発生した場合に、電磁リリーフ弁１３による燃料配管内の減圧を制御すると共に、エンジン１０の運転領域を制限することを特徴とする。
【００４０】
図４のフローチャートにおいて、ステップＳ３０１では、燃料ポンプ４が故障しているか否かを判断する。
そして、燃料ポンプ４が故障している場合には、ステップＳ３０２へ進み、エンジン１０の運転領域を制限する処理を行う（運転領域制限手段）。
具体的には、予めエンジン負荷とエンジン回転速度とに応じて燃料カット領域を設定したマップ（図５参照）を参照し、現在のエンジン負荷及びエンジン回転速度が燃料カット領域に該当しているか否かを判断する。
【００４１】
そして、現在のエンジン負荷及びエンジン回転速度が燃料カット領域に該当している場合には、燃料噴射弁９による燃料噴射を継続して停止させる。
尚、エンジン負荷は、シリンダ吸入空気量、該シリンダ吸入空気量に基づき演算される基本燃料噴射量、スロットル開度（アクセル開度）、吸気管負圧などで代表させることができる。
【００４２】
燃料ポンプ４が故障し、例えば吐出量が正常時よりも少なくなると、高負荷・高回転域で燃料ポンプ４からの吐出量が不足して、燃料噴射弁９から目標空燃比に見合った量よりも少ない量の燃料しか噴射させることができなくなってしまう可能性がある。
この場合、空燃比がオーバーリーン化し、失火により未燃ガス（ＨＣ）が排出されてしまったり、失火せずに燃焼しても排気温が高くなって排気系部品（排気浄化触媒や空燃比センサなど）が損傷したりする。
【００４３】
そこで、上記のような吐出量不足による空燃比のオーバーリーン化を回避するために、ポンプ吐出量の要求（燃料消費）が多くなる高負荷域及び高回転域において燃料カットを実行して、高負荷域及び高回転域での運転を回避し、吐出量（燃料供給量）の不足が生じない低中負荷・低中回転域でエンジン１０を運転させることで、空燃比のオーバーリーン化による未燃ガス（ＨＣ）の排出や排気系部品の損傷を抑制又は防止する。
【００４４】
尚、例えば電子制御スロットルを備えたエンジンでは、燃料ポンプ４の故障状態において、前記電子制御スロットルの最大開度を正常時よりも低く制限すること、即ち、最大吸入空気量を正常時よりも少なく量に制限することで、高負荷域でのエンジン１０の運転を回避することが可能である。
また、燃料ポンプ４の故障状態で吐出可能な最大量に基づいて、エンジン１０の運転を禁止する領域（エンジン１０の運転領域）を可変に設定することができる。
【００４５】
即ち、燃料ポンプ４の故障状態で、吐出可能な最大量が正常時よりも少ないほど、エンジン１０の運転領域を低負荷・低回転側の狭い領域に限定し、逆に、燃料ポンプ４の故障状態であっても吐出可能な最大量が比較的多ければ、より高負荷・高回転側まで運転域を拡大してエンジンを運転させることが可能である。
また、燃料ポンプ４の故障状態によっては、ポンプ吐出量を少なく絞ることができなくなる（例えば、最大吐出量状態に固定されてしまう）場合があり、このような場合は、高負荷・高回転域でエンジン１０を運転させても、燃料不足になることがない。
【００４６】
そこで、故障によってポンプ吐出量が正常時よりも低下しているときに、エンジン１０の高負荷・高回転域での運転を禁止して低中負荷・低中回転域で運転させ、故障状態であっても最大吐出量が正常時と略同等に確保されているときには、エンジン１０の運転領域を制限しない設定とすることができる。
更に、燃料ポンプ４の故障時におけるエンジン１０の運転領域の制限として、例えば、最大車速を正常時よりも低く設定し、高車速側での運転を禁止し、低車速で運転させるようにすることができる。
【００４７】
ステップＳ３０３では、前記燃圧センサ２４で検出される実際の燃圧が、目標燃圧よりも高いか否かを判別する。
そして、ステップＳ３０３で実際の燃圧が目標燃圧よりも高いと判断された場合には、ステップＳ３０４へ進み、前記電磁リリーフ弁１３を開操作して、前記燃料ギャラリーパイプ８の燃料を燃料タンク１内にリリーフさせる。
【００４８】
従って、燃料ポンプ４の故障に伴って燃圧が過剰に高くなり、燃料噴射弁９などから燃料漏れが発生したり、燃料噴射弁９における燃料の計量精度の低下や燃料噴霧の貫徹力の変化によって、混合気の形成精度が悪化したりすることを未然に防止できる。
尚、第３実施形態において、燃料ポンプ４の制御やリリーフ量の制御を、第１実施形態と同様にして行わせることができ、更に、第２実施形態のようにして故障発生時の目標燃圧を設定させることができる。
【００４９】
図６のフローチャートは、ポンプ故障時制御の第４実施形態を示す。
この第４実施形態では、燃料ポンプ４の故障状態で、実際の燃圧が設定値を下回ったときに、エンジン１０の運転を停止させることを特徴とする。
図６のフローチャートにおいて、ステップＳ４０１では、燃料ポンプ４が故障しているか否かを判断する。
【００５０】
そして、燃料ポンプ４が故障している場合には、ステップＳ４０２へ進み、前記燃圧センサ２４で検出された実際の燃圧が、予め設定された下限圧（≦目標燃圧）よりも低いか否かを判別する。
実際の燃圧が下限圧（許容最低値）よりも低い場合には、ステップＳ４０３へ進み、エンジン１０の運転（燃料噴射・点火）を停止させる（運転停止手段）。
【００５１】
即ち、燃料ポンプ４の故障によって実際の燃圧が目標燃圧を下回るようになっている場合には、エンジン１０における燃料の消費量よりも燃料ポンプ４が吐出できる燃料量が少なくなっているものと推定され、このような状態でエンジン１０の運転を継続させると、燃料不足によって空燃比がオーバーリーン化し、失火により未燃ガス（ＨＣ）が排出されてしまったり、失火せずに燃焼しても排気温が高くなって排気系部品（排気浄化触媒や空燃比センサなど）が損傷したりする。
【００５２】
そこで、失火や排気系部品（排気浄化触媒や空燃比センサなど）の損傷を回避すべく、実際の燃圧が下限圧（≦目標燃圧）を下回るようになると、エンジン１０の運転を停止させ、空燃比のオーバーリーン状態で運転されることがないようにする。
尚、実際の燃圧が目標燃圧を僅かに下回る程度の場合には、燃料カットやスロットル開度の制限などによってエンジン１０を低負荷域に限定して運転させ、実際の燃圧が目標燃圧よりも大きく低下した時点でエンジン１０の運転を停止させることができる。
【００５３】
前記ステップＳ４０２で、実際の燃圧が前記下限圧（≦目標燃圧）以上であると判断された場合には、ステップＳ４０４へ進み、前記燃圧センサ２４で検出される実際の燃圧が、目標燃圧よりも高いか否かを判別する。
そして、ステップＳ４０４で実際の燃圧が目標燃圧よりも高いと判断された場合には、ステップＳ４０５へ進み、前記電磁リリーフ弁１３を開操作して、前記燃料ギャラリーパイプ８の燃料を燃料タンク１内にリリーフさせる。
【００５４】
従って、燃料ポンプ４の故障に伴って燃圧が過剰に高くなり、燃料噴射弁９などから燃料漏れが発生したり、燃料噴射弁における燃料の計量精度の低下や燃料噴霧の貫徹力の変化によって、混合気の形成精度が悪化したりすることを未然に防止できる。
尚、第４実施形態において、燃料ポンプ４の制御やリリーフ量の制御を、第１実施形態と同様にして行わせることができ、更に、第２実施形態のようにして故障発生時の目標燃圧を設定させることができる。
【００５５】
図７のフローチャートは、ポンプ故障時制御の第５実施形態を示す。
前記第１〜第４実施形態では、燃料ポンプ４の故障時においてのみ、前記電磁リリーフ弁１３を開操作し、燃料ギャラリーパイプ８内の燃料を燃料タンク１に戻すようにしたが、第５実施形態では、燃料ポンプ４が正常に動作している状態においても、燃圧を低下させるための手段として前記電磁リリーフ弁１３（リリーフ手段）を用いることを特徴とする。
【００５６】
図７のフローチャートにおいて、ステップＳ５０１では、燃料ポンプ４が故障しているか否かを判断する。
そして、燃料ポンプ４が故障している場合には、ステップＳ５０２へ進み、前記燃圧センサ２４で検出される実際の燃圧が目標燃圧よりも高いか否かを判別する。
ステップＳ５０２で実際の燃圧が目標燃圧よりも高いと判断された場合には、ステップＳ５０４へ進み、前記電磁リリーフ弁１３を開操作して、前記燃料ギャラリーパイプ８の燃料を燃料タンク１内にリリーフさせる。
【００５７】
これにより、燃料ポンプ４が故障し、実際の燃圧が目標燃圧を上回るようになったときに、実際の燃圧を速やかに低下させることができ、燃料噴射弁９などから燃料漏れが発生したりすることを未然に防止できる。
一方、ステップＳ５０１で、燃料ポンプ４が正常であると判断されると、ステップＳ５０３へ進む。
【００５８】
ステップＳ５０３では、実際の燃圧から目標燃圧（噴射時の目標燃圧）を減算した結果が、閾値以上であるか否か、換言すれば、実際の燃圧が目標燃圧よりも閾値（≧０）以上に（許容最大値よりも）高くなっているか否かを判断する。
前記閾値は、燃料噴射弁９からの燃料漏れが発生する値である。
そして、実際の燃圧が目標燃圧よりも閾値以上に高くなっている場合（実際の燃圧が許容最大値よりも高くなっている場合）には、ステップＳ５０４へ進み、前記電磁リリーフ弁１３を開操作して、前記燃料ギャラリーパイプ８の燃料を燃料タンク１内にリリーフさせる（最大燃圧制御手段）。
【００５９】
即ち、実際の燃圧が目標燃圧よりも高い場合には、燃料ポンプ４の吐出量を減少させることで、燃料噴射弁９から噴射される燃料量（燃料消費量）よりも燃料ポンプ４の吐出量を少なくし、燃圧を低下させるように制御されるが、燃料噴射弁９からの噴射量が少ない運転条件では、燃圧がなかなか低下せず、実際の燃圧が目標燃圧よりも高い状態が長引くことがある。
【００６０】
そこで、燃料ポンプ４の正常状態であっても、実際の燃圧が目標燃圧よりも閾値以上に高くなっている場合には、前記電磁リリーフ弁１３を開操作して、前記燃料ギャラリーパイプ８の燃料を燃料タンク１内にリリーフさせることで、燃圧を応答良く低下させる。
従って、例えば目標燃圧が低下した場合などにおいて、実際の燃圧を速やかに低下させて、目標燃圧の変化に応答良く追従変化させることができ、燃料ポンプ４の正常状態において、安定的に目標燃圧付近で燃料噴射を行わせることができる。
【００６１】
尚、上記第５実施形態において、燃料ポンプ４の故障時における処理を、第２〜第４実施形態と同様に行わせることができる。
図８のフローチャートは、ポンプ故障時制御の第６実施形態を示す。
この第６実施形態では、燃料ポンプ４の故障状態において、前記電磁リリーフ弁１３の開操作によって実際の燃圧を下げることができない場合に、減速燃料カット等（燃料噴射の一時的停止）を禁止し、燃圧の低下を図ることを特徴とする。
【００６２】
前記減速燃料カットは、例えば、前記エンジン１０のスロットルバルブ又はアクセルペダルの全閉時であって、エンジン回転速度が所定の燃料カット開始回転速度よりも高い場合に、前記燃料噴射弁９による燃料噴射を停止し、前記スロットルバルブ又はアクセルペダルが開くか、エンジン回転速度が所定のリカバ回転速度を下回ったときに、前記燃料噴射弁９による燃料噴射を再開させる制御である。
【００６３】
また、第６実施形態で禁止する燃料カットには、車速又はエンジン回転速度が許容最大値を超えたときに前記燃料噴射弁９による燃料噴射を停止させる制御や、渋滞や信号待ちなどの停車時に燃料噴射弁９による燃料噴射を停止させてエンジンを停止させるアイドルストップ制御などを含めることができる。
図８のフローチャートにおいて、ステップＳ６０１では、燃料ポンプ４が故障しているか否かを判断する。
【００６４】
そして、燃料ポンプ４が故障している場合には、ステップＳ６０２へ進み、前記燃圧センサ２４で検出された実際の燃圧が、目標燃圧よりも高いか否かを判別する。
実際の燃圧が目標燃圧よりも高い場合には、ステップＳ６０３へ進み、前記電磁リリーフ弁１３を開操作する。
前記電磁リリーフ弁１３を開操作している状態で、更に、ステップＳ６０４へ進み、実際の燃圧が目標燃圧よりも閾値（＞０）以上に高いか否かを判別する。
【００６５】
そして、電磁リリーフ弁１３を開操作している状態で、実際の燃圧が目標燃圧よりも閾値以上に高い場合には、ステップＳ６０５へ進み、減速燃料カット等の燃料噴射の一時的な停止制御を禁止する。
前記電磁リリーフ弁１３を介してリリーフされる燃料量が過大であると、燃圧が急激に下がり過ぎてしまい、燃圧を目標燃圧付近に制御することが困難になるので、リリーフ量をある程度抑制させる必要があるが、リリーフ量を抑制すると、燃圧を充分な応答で下げることができなくなる場合がある。
【００６６】
一方、燃料噴射弁９による燃料噴射を一時的に停止させる減速燃料カットなどが実行されると、燃料噴射弁９と電磁リリーフ弁１３との双方によって燃料ギャラリーパイプ８内の燃料をリリーフさせていた状態から、電磁リリーフ弁１３のみで燃料ギャラリーパイプ８内の燃料をリリーフさせる状態に切り替わることになり、電磁リリーフ弁１３の開制御による燃圧降下が妨げられることになる。
【００６７】
そこで、電磁リリーフ弁１３を開操作しても、実際の燃圧が目標燃圧よりも所定以上に高い場合には、減速燃料カットなどの燃料噴射の一時的な停止制御を禁止して、燃料ギャラリーパイプ８内の燃料が消費される状態（燃料ギャラリーパイプ８の燃料を燃料噴射弁９から噴射させる状態）を継続させることで、電磁リリーフ弁１３の開制御による燃圧降下の実効が表れるようにする。
【００６８】
従って、第６実施形態では、電磁リリーフ弁１３による燃料のリリーフによる燃圧の制御性を確保しつつ、燃圧が過剰に高い状態を確実に解消することができ、燃料ポンプ４が故障しても燃圧が過大になって燃料漏れ等が発生することを防止できる。
尚、第６実施形態において、燃料ポンプ４の制御やリリーフ量の制御を、第１実施形態と同様にして行わせることができ、更に、第２実施形態のようにして故障発生時の目標燃圧を設定させることができる。
【００６９】
図９のフローチャートは、電子制御ユニット１１によって行われる、燃料ポンプ４の故障診断を示す。
ステップＳ１００１では、エンジン１０の要求燃料量の最新値と所定時間前の値との偏差の絶対値が設定値（１）以下であるか否か、換言すれば、エンジン１０の要求燃料量が略一定しているか否かを判別する。
【００７０】
前記エンジン１０の要求燃料量とは、単位時間当たりに噴射された燃料の総量であり、エンジン１０の定常運転状態では、前記要求燃料量は略一定であるから、ステップＳ１００１で、エンジン１０が定常運転状態であるか否かを判断させることができる。
ステップＳ１００１で、要求燃料量が略一定している（エンジン１０の定常運転状態である）と判断されると、ステップＳ１００２へ進み、燃圧センサ２４で検出された実際の燃圧と目標燃圧との偏差の絶対値が所定値（２）未満であるか否か、換言すれば、実際の燃圧が目標燃圧付近に収束している状態であるか否かを判別する。
【００７１】
そして、実際の燃圧が目標燃圧付近に収束している状態であれば、ステップＳ１００３へ進み、燃料ポンプ４の吐出量が所定値（３）以上に制御されているか否かを、例えば、燃料ポンプ４の通電制御のオンデューティ（駆動電流）が閾値以上であるか否かに基づいて判断する。
ステップＳ１００３で、燃料ポンプ４の吐出量が所定値（３）以上に制御されていると判断されると、ステップＳ１００４へ進む。
【００７２】
ステップＳ１００４では、エンジン１０の要求燃料量が略一定していて、かつ、実際の燃圧が目標燃圧付近に収束していて、かつ、燃料ポンプ４の吐出量が所定値（３）以上に制御されている状態が、所定時間ｔ１以上継続しているか否かを判断する。
そして、所定時間ｔ１以上の継続を判断すると、ステップＳ１００５へ進み、燃料ポンプ４の故障を判定する。
【００７３】
尚、ステップＳ１００５に進まなかった場合に、燃料ポンプ４が正常であると判定させることもできるが、図９のフローチャートでは、正常判定を行うことなくそのまま処理を終了させている。
前記燃料ポンプ４の最大吐出量（最大電圧印加時の吐出量）は、エンジン１０の最大要求燃料量よりも大きな量に設定されており、燃圧を上昇させる場合には、最大吐出量付近に制御される場合があるが、実際の燃圧が目標燃圧付近に収束すれば、たとえエンジン１０の高負荷・高回転域であっても最大量付近の吐出量は不要である。
【００７４】
従って、実際の燃圧が目標燃圧付近に収束しているのに、燃料ポンプ４の吐出量が通常よりも大きな量に所定時間ｔ１以上制御されている場合には、例えば燃料ポンプ４における燃料経路の詰まりや回転抵抗の増大などによって、駆動電流に対する実際の吐出量が設計値よりも低下している故障（劣化）状態であると判断できる。
前記所定値（１）〜（３）及び所定時間ｔ１は、上記のような故障状態の検出に適切な値として実験或いはシミュレーションに基づき予め適合される。
【００７５】
ここで、前記所定値（３）は、固定値として与えることができる他、そのときのエンジン１０の要求燃料量（燃料消費量）に応じて可変に設定させることができ、具体的には、要求燃料量（燃料消費量）が少ないほど、前記所定値（３）をより低い値に設定することができる。
即ち、目標燃圧付近に収束した後は、エンジン１０に供給された分（消費分）を補給することで目標燃圧を維持でき、そのときに必要とされる吐出量はエンジン１０の要求燃料量に略一致するから、例えば低負荷・低回転域であれば必要吐出量は少なくなり、前記所定値（３）を比較的小さく設定することができ、また、前記所定値（３）を比較的小さく設定することで、燃料ポンプ４の故障を高精度に診断できる。
【００７６】
燃料ポンプ４の故障診断としては、図９のフローチャートに示した処理の他、図１０のフローチャートに示すようにして診断を行わせることができる。
図１０のフローチャートにおいて、ステップＳ２００１では、前記ステップＳ１００１と同様に、要求燃料量が略一定しているか否か（エンジン１０の定常運転状態であるか否か）を判別する。
【００７７】
そして、要求燃料量が略一定している（エンジン１０の定常運転状態である）と判断されると、ステップＳ２００２へ進み、燃圧センサ２４で検出された実際の燃圧と目標燃圧との偏差の絶対値が所定値（４）を超えているか否か、換言すれば、実際の燃圧が目標燃圧付近に収束していない状態であるか否かを判別する。
実際の燃圧と目標燃圧との偏差の絶対値が所定値（４）を超えている場合には、ステップＳ２００３へ進み、要求燃料量が略一定していて、かつ、実際の燃圧と目標燃圧との偏差の絶対値が所定値（４）を超えている状態が、所定時間ｔ２以上継続しているか否かを判断する。
【００７８】
そして、所定時間ｔ２以上の継続を判断すると、ステップＳ２００４へ進み、燃料ポンプ４の故障を判定する。
例えば、燃料ポンプ４への通電をスイッチングする回路の故障によって、燃料ポンプ４に最大駆動電流が流れる状態に固着した場合、実際の燃圧が目標燃圧よりも高いことに基づいて、燃料ポンプ４のオンデューティの指示値を減少させても、実際の吐出量（駆動電流）が減らずに、実際の燃圧を目標燃圧に向けて減少させることができず、前記図１０のフローチャートに従って故障判定がなされることになる。
【００７９】
また、前述のように、燃料ポンプ４における燃料経路の詰まりや回転抵抗の増大などによって、駆動電流に対する実際の吐出量が設計値よりも低下している場合には、燃圧を目標燃圧まで増大させることができず、又は、目標燃圧までに圧力上昇させるのに時間を要することで、前記図１０のフローチャートに従って故障判定がなされることになる。
但し、燃料ポンプ４の故障診断を、前記図９，図１０のフローチャートに示した診断に限定するものではなく、その他公知の診断方法を適宜採用することができる。
【００８０】
例えば、燃料ポンプ４のモータに印加されている電圧の異常を判定したり、駆動電流・ポンプ回転速度を検出し、そのときのポンプ操作量（オンデューティ）に見合った駆動電流・回転速度でない場合に、燃料ポンプ４の故障を判定したりすることができる。
尚、燃料ポンプ４への電源供給ラインにリレーが介装されている場合、前記リレーのオフ状態では、燃料ポンプ４の故障を誤判定することになってしまうので、前記リレーのオフ状態では、故障診断をキャンセルすることが好ましい。
【００８１】
また、燃料ポンプ４の故障を判定した場合には、故障発生を、音声・ブザー・ランプ・文字表示などの警告手段によって車両の運転者に告知することが好ましい。
ところで、前記電磁リリーフ弁１３は、燃料ギャラリーパイプ８内の燃圧が許容最大圧を超えた場合に、機械的に開弁する構造のものとすることが好ましい。
例えば、弁体を閉弁方向に付勢するスプリングのセット荷重を、燃圧が許容最大圧を超えたときに弁体が開弁するように設定する一方、前記弁体を前記スプリングの付勢力に抗して開弁させる磁力を発生させる電磁コイルを備えるバルブ構造とすることで、操作信号に応じた任意の開閉制御機能と共に、燃圧が許容最大圧（配管の耐圧値）を超えたときに、操作信号とは無関係に自動的に開動作させる機能を備えることができる。
【００８２】
また、上記各実施形態では、燃圧センサ２４を備えたが、燃料ギャラリーパイプ８内の燃圧を、前記燃料ギャラリーパイプ８における燃料の給排量及び温度などに応じて推定させることができ、更に、圧力スイッチを用いて一定圧に制御させることもできる。
更に、電磁リリーフ弁１３の開操作に対して、実際の燃圧が低下しなかった場合に、前記電磁リリーフ弁１３の故障を判定させることができ、この場合、減速燃料カットを禁止するなどのフェイルセーフを行わせることができる。
【００８３】
また、燃料ポンプ４及び電磁リリーフ弁１３を制御する第１コントロールユニットと、燃料噴射弁９（エンジン本体）を制御する第２コントロールユニットとを個別に備える構成とすることができる。
更に、上記第１〜第６実施形態に示した各処理を適宜組み合わせてポンプ制御、リリーフ制御及び燃料カット制御を行わせることができる。
【図面の簡単な説明】
【００８４】
【図１】本発明の実施形態における燃料供給装置のシステム図。
【図２】本発明に係るポンプ故障時の燃圧制御の第１実施形態を示すフローチャート。
【図３】本発明に係るポンプ故障時の燃圧制御の第２実施形態を示すフローチャート。
【図４】本発明に係るポンプ故障時の燃圧制御の第３実施形態を示すフローチャート。
【図５】上記第３実施形態における燃料カット域（運転停止域）を示す線図。
【図６】本発明に係るポンプ故障時の燃圧制御の第４実施形態を示すフローチャート。
【図７】本発明に係るポンプ故障時の燃圧制御の第５実施形態を示すフローチャート。
【図８】本発明に係るポンプ故障時の燃圧制御の第６実施形態を示すフローチャート。
【図９】本発明の実施形態における燃料ポンプの故障診断を示すフローチャート。
【図１０】本発明の実施形態における燃料ポンプの故障診断の別の例を示すフローチャート。
【符号の説明】
【００８５】
１…燃料タンク、４…燃料ポンプ、５ａ，５ｂ…燃料パイプ、７…逆止弁、８…燃料ギャラリーパイプ、９…燃料噴射弁、１０…エンジン、１１…電子制御ユニット、１２…リリーフパイプ、１３…電磁リリーフ弁、２４…燃圧センサ、２５…燃温センサ
【図１】
2010071133.tif 000003
【図２】
2010071133.tif 000004
【図３】
2010071133.tif 000005
【図４】
2010071133.tif 000006
【図５】
2010071133.tif 000007
【図６】
2010071133.tif 000008
【図７】
2010071133.tif 000009
【図８】
2010071133.tif 000010
【図９】
2010071133.tif 000011
【図１０】
2010071133.tif 000012